(57)【特許請求の範囲】
【請求項１】
せり対象品の応札有無を判定する応札判定部と、
前記応札判定部により応札有りと判定された時の応札価格が、前記せり対象品の情報に応じて決定された買取価格を超えたか否かを判定する価格判定部と、
前記せり対象品のせりが終了したか否かを判定するせり終了判定部と、
前記せり対象品の買取希望情報に応じて、前記せり対象品の買取希望有無を判定する買取希望判定部と、
前記価格判定部により前記応札価格が前記買取価格を超えたと判定されることなく前記せり終了判定部によりせりが終了したと判定され、且つ、前記買取希望判定部により買取希望有りと判定されたときに、せり主催者を落札者として前記せり対象品を前記買取価格で落札する処理を行う落札処理部と、
を備えることを特徴とするせり制御装置。
【請求項２】
前記せり対象品は、車両である、
ことを特徴とする請求項１記載のせり制御装置。
【請求項３】
前記せり対象品の情報は、前記車両の排気量情報である、
ことを特徴とする請求項２記載のせり制御装置。
【請求項４】
サーバ装置とせり制御装置を含むせりシステムであって、
前記サーバ装置は、
せり対象品の情報に応じた買取価格を定める買取価格情報を公開する公開部と、
せり対象品の買取希望有無の通知を受け付ける受付部と、
前記通知に応じて、前記せり対象品の買取希望有無を示す買取希望情報を更新する更新部と、
を備え、
前記せり制御装置は、
せり対象品の応札有無を判定する応札判定部と、
前記応札判定部により応札有りと判定された時の応札価格が、前記買取価格情報に基づいて前記せり対象品の情報に応じて決定された買取価格を超えたか否かを判定する価格判定部と、
前記せり対象品のせりが終了したか否かを判定するせり終了判定部と、
前記せり対象品の買取希望情報に応じて、前記せり対象品の買取希望有無を判定する買取希望判定部と、
前記価格判定部により前記応札価格が前記買取価格を超えたと判定されることなく前記せり終了判定部によりせりが終了したと判定され、且つ、前記買取希望判定部により買取希望有りと判定されたときに、せり主催者を落札者として前記せり対象品を前記買取価格で落札する処理を行う落札処理部と、
を備える、
ことを特徴とするせりシステム。
【請求項５】
前記せり対象品は、車両である、
ことを特徴とする請求項４記載のせりシステム。
【請求項６】
前記せり対象品の情報は、前記車両の排気量情報である、
ことを特徴とする請求項５記載のせりシステム。
【請求項７】
せり制御装置であるコンピュータは、
せり対象品の応札有無を判定し、
前記せり対象品の応札有りと判定した場合に、応札価格が、前記せり対象品の情報に応じて決定された買取価格を超えたか否かを判定し、
前記せり対象品の応札無しと判定した場合、又は、前記応札価格が前記買取価格を超えていないと判定した場合に、前記せり対象品のせりが終了したか否かを判定し、
前記せりが終了したと判定した場合に、前記せり対象品の買取希望情報に応じて、前記せり対象品の買取希望有無を判定し、
前記せり対象品の買取希望有りと判定した場合に、せり主催者を落札者として前記せり対象品を前記買取価格で落札する、
処理を実行することを特徴とするせり制御方法。
【請求項８】
せり制御装置であるコンピュータに、
せり対象品の応札有無を判定し、
前記せり対象品の応札有りと判定した場合に、応札価格が、前記せり対象品の情報に応じて決定された買取価格を超えたか否かを判定し、
前記せり対象品の応札無しと判定した場合、又は、前記応札価格が前記買取価格を超えていないと判定した場合に、前記せり対象品のせりが終了したか否かを判定し、
前記せりが終了したと判定した場合に、前記せり対象品の買取希望情報に応じて、前記せり対象品の買取希望有無を判定し、
前記せり対象品の買取希望有りと判定した場合に、せり主催者を落札者として前記せり対象品を前記買取価格で落札する、
処理を実行させることを特徴とするせり制御プログラム。
【発明の詳細な説明】
【技術分野】
【０００１】
本発明は、せりに用いられる装置、システム、方法、及びプログラムに関する。
【背景技術】
【０００２】
従来、例えば中古車等のせり会場では、せりシステムを用いて、せり（オークション又は競売ともいう）が行われている。
せりシステムは、例えば、せり制御装置、応札端末装置を含む。せり制御装置は、せりの進行を制御し、応札端末装置は、応札者による応札入力を受け付け、せり制御装置へ通知する。せりシステムでは、例えば、せり中に最も高い価格で応札した者を落札者として落札処理が行われ、応札が無かった場合には流札処理が行われる。
【０００３】
また、せりシステムでは、せり対象品が、例えば、せり主催者による買い取りが保証された物品である場合がある。この場合、応札が無ければ、せり主催者による買い取りが行われる。ここで、その買取方法としては次の２つがある。一つは、応札が為されないタイミングを見計らい、事務局員（せり主催者の関係者）が例えば応札端末装置を介して応札する方法(第１の方法）である。もう一つは、一時的に流札扱いとし、後に、せり主催者を落札者とする落札扱いに修正する方法（第２の方法）である。第２の方法では、例えば、せりシステムにおいて、流札処理が行われた後に、事務局員による手動操作により、せり主催者を落札者とする落札処理が行われ、流札扱いが落札扱いへ修正される。
【０００４】
なお、せりシステムに関し、次のようなシステムが知られている。
例えば、インターネット等の通信ネットワークを介して売り手と買い手とが物品等の売買を行うオンラインオークションを円滑に進めるための方法を実施するシステムが知られている（例えば特許文献１参照）。また、例えば、商品の販売を管理する方法を実施するシステムであって、オークションの実行を制御するオークションコンピュータとそのオークションコンピュータに接続されたホストコンピュータとを備えたコンピュータシステムが知られている（例えば特許文献２参照）。また、例えば、出品候補物件を登録する一般会員と、出品候補物件の正当な相場価格を評価する専門家会員とを有するインターネットオークションシステムが知られている（例えば特許文献３参照）。
【先行技術文献】
【特許文献】
【０００５】
【特許文献１】特開２００２−７７８７号公報
【特許文献２】特開２００３−２３３７３２号公報
【特許文献３】特開２００４−１９９３９６号公報
【発明の概要】
【発明が解決しようとする課題】
【０００６】
上述のせり主催者による２つの買取方法では、次のような問題がある。
第１の方法では、少なくとも、せり主催者による買い取りが保証されたせり対象品のせり中においては、せり主催者の人的資源が拘束されるという問題がある。例えば、事務局員は、応札が為されないタイミングを見計らって応札を行う必要があるため、そのせり中においては、常に、応札端末装置を介して応札が可能な状態で待機していなければならない。
【０００７】
第２の方法では、一時的に流札扱いにされたせり対象品が、運用上の誤りにより、落札扱いに修正されない虞があるという問題がある。例えば、せり中及びせり後は、事務局員の作業が慌ただしくなるため、落札扱いへ修正する作業が忘却され、流札扱いのままとされてしまう虞がある。
【０００８】
本発明は、上記実情に鑑み、せり主催者による買い取りが保証されたせり対象品をせり主催者が買い取る場合に、せり主催者の負担を軽減することができると共に運用上の誤りを防止することができる装置、システム、方法、及びプログラムを提供することを目的とする。
【課題を解決するための手段】
【０００９】
装置の一観点によれば、せり制御装置であって、せり対象品の応札有無を判定する応札判定部と、前記応札判定部により応札有りと判定された時の応札価格が、前記せり対象品の情報に応じて決定された買取価格を超えたか否かを判定する価格判定部と、前記せり対象品のせりが終了したか否かを判定するせり終了判定部と、前記せり対象品の買取希望情報に応じて、前記せり対象品の買取希望有無を判定する買取希望判定部と、前記価格判定部により前記応札価格が前記買取価格を超えたと判定されることなく前記せり終了判定部によりせりが終了したと判定され、且つ、前記買取希望判定部により買取希望有りと判定されたときに、せり主催者を落札者として前記せり対象品を前記買取価格で落札する処理を行う落札処理部とを備える。
【００１０】
システムの一観点によれば、サーバ装置とせり制御装置を含むせりシステムであって、前記サーバ装置は、せり対象品の情報に応じた買取価格を定める買取価格情報を公開する公開部と、せり対象品の買取希望有無の通知を受け付ける受付部と、前記通知に応じて、前記せり対象品の買取希望有無を示す買取希望情報を更新する更新部とを備え、前記せり制御装置は、せり対象品の応札有無を判定する応札判定部と、前記応札判定部により応札有りと判定された時の応札価格が、前記買取価格情報に基づいて前記せり対象品の情報に応じて決定された買取価格を超えたか否かを判定する価格判定部と、前記せり対象品のせりが終了したか否かを判定するせり終了判定部と、前記せり対象品の買取希望情報に応じて、前記せり対象品の買取希望有無を判定する買取希望判定部と、前記価格判定部により前記応札価格が前記買取価格を超えたと判定されることなく前記せり終了判定部によりせりが終了したと判定され、且つ、前記買取希望判定部により買取希望有りと判定されたときに、せり主催者を落札者として前記せり対象品を前記買取価格で落札する処理を行う落札処理部とを備える。
【００１１】
方法の一観点によれば、せり制御装置であるコンピュータは、せり対象品の応札有無を判定し、前記せり対象品の応札有りと判定した場合に、応札価格が、前記せり対象品の情報に応じて決定された買取価格を超えたか否かを判定し、前記せり対象品の応札無しと判定した場合、又は、前記応札価格が前記買取価格を超えていないと判定した場合に、前記せり対象品のせりが終了したか否かを判定し、前記せりが終了したと判定した場合に、前記せり対象品の買取希望情報に応じて、前記せり対象品の買取希望有無を判定し、前記せり対象品の買取希望有りと判定した場合に、せり主催者を落札者として前記せり対象品を前記買取価格で落札する、処理を実行するせり制御方法である。
【００１２】
プログラムの一観点によれば、せり制御装置であるコンピュータに、せり対象品の応札有無を判定し、前記せり対象品の応札有りと判定した場合に、応札価格が、前記せり対象品の情報に応じて決定された買取価格を超えたか否かを判定し、前記せり対象品の応札無しと判定した場合、又は、前記応札価格が前記買取価格を超えていないと判定した場合に、前記せり対象品のせりが終了したか否かを判定し、前記せりが終了したと判定した場合に、前記せり対象品の買取希望情報に応じて、前記せり対象品の買取希望有無を判定し、前記せり対象品の買取希望有りと判定した場合に、せり主催者を落札者として前記せり対象品を前記買取価格で落札する、処理を実行させるせり制御プログラムである。
【発明の効果】
【００１３】
開示の装置、システム、方法、及びプログラムは、せり主催者による買い取りが保証されたせり対象品をせり主催者が買い取る場合に、せり主催者の負担を軽減することができると共に運用上の誤りを防止することができる、という効果を奏する。
【図面の簡単な説明】
【００１４】
【図１】一実施の形態に係るせりシステムの一例を示す図である。
【図２】せり制御装置の構成例を示す図である。
【図３】ＷＥＢサーバ装置の構成例を示す図である。
【図４】ＷＥＢ用ＤＢに格納された出品情報ＴＢＬ、買取価格ＴＢＬの一例を示す図である。
【図５】せり前に行われる、せりシステムの動作の一例を示すフローチャートである。
【図６Ａ】せり中に行われる、せりシステムの動作の一例を示す第１のフローチャートである。
【図６Ｂ】せり中に行われる、せりシステムの動作の一例を示す第２のフローチャートである。
【図７】コンピュータシステムの一例を示す図である。
【発明を実施するための形態】
【００１５】
以下、図面を参照しながら本発明の実施の形態を説明する。
図１は、一実施の形態に係るせりシステムの一例を示す図である。
本実施形態に係るせりシステムでは、せり対象品として中古車を取り扱う。ただし、せり対象品は、中古車に限らず、例えば工作機械等、他の物品としてもよい。
【００１６】
図１に示したように、本実施形態に係るせりシステム１００は、せり調整人端末装置１１０、せり制御装置１２０、複数の応札端末装置１３０、大型表示装置１４０、データ中継装置１５０、複数の業務端末装置１６０、業務サーバ装置１７０、ＷＥＢサーバ装置１８０、複数の出品者端末装置１９０、せりネットワーク２００、業務ネットワーク３００、外部ネットワーク４００を含む。
【００１７】
せり調整人端末装置１１０、せり制御装置１２０、複数の応札端末装置１３０、大型表示装置１４０、業務ネットワーク３００は、せりネットワーク２００を介してデータの送受を行う。また、せりネットワーク２００、データ中継装置１５０、複数の業務端末装置１６０、業務サーバ装置１７０、ＷＥＢサーバ装置１８０は、業務ネットワーク３００を介してデータの送受を行う。また、ＷＥＢサーバ装置１８０、複数の出品者端末装置１９０は、外部ネットワーク４００を介してデータの送受を行う。なお、せりネットワーク２００、業務ネットワーク３００、外部ネットワーク４００は、有線、無線、又は、それらが混在する通信ネットワークである。せりネットワーク２００、業務ネットワーク３００は、例えばＬＡＮ（Local Area Network）である。外部ネットワーク４００は、例えばインターネットである。
【００１８】
なお、せりシステム１００において、せり調整人端末装置１１０、せり制御装置１２０、応札端末装置１３０、大型表示装置１４０、データ中継装置１５０、業務端末装置１６０、業務サーバ装置１７０、ＷＥＢサーバ装置１８０、せりネットワーク２００、業務ネットワーク３００は、例えば、せり会場に設けられる。出品者端末装置１９０は、例えば、出品者の自宅に設けられる。
【００１９】
せりシステム１００において、せり調整人端末装置１１０は、例えばＰＣ（パーソナルコンピュータ）であり、せり調整人により操作される端末装置である。せり調整人端末装置１１０は、例えば、せり調整人から、せり対象車両の出品番号の入力、せり対象車両のせり開始指示の入力、全せり終了指示の入力を受け付け、せり制御装置１２０へ通知する。
【００２０】
せり制御装置１２０は、せりの進行を制御する。せり制御装置１２０は、例えば、せり調整人端末装置１１０からの通知や、応札端末装置１３０からの応札通知を受け付ける。また、例えば、せり対象車両の出品情報を業務サーバ装置１７０から取得する。また、例えば、大型表示装置１４０を制御する。
【００２１】
応札端末装置１３０は、例えばＰＣであり、応札者により操作される端末装置である。応札端末装置１３０は、例えば、応札者からの応札の入力を受け付け、せり制御装置１２０へ通知する。
【００２２】
大型表示装置１４０は、せり制御装置１２０の制御の下、せり対象車両の情報（せり対象車両の画像や応札価格等）を表示する。
データ中継装置１５０は、データを中継する。例えば、せり制御装置１２０が業務サーバ装置１７０から出品情報を取得する際に、その出品情報を中継する。
【００２３】
業務端末装置１６０は、例えばＰＣであり、事務局員（せり主催者の関係者）により操作される端末装置である。業務端末装置１６０は、例えば、事務局員から、出品情報の入力、買取価格情報の入力を受け付け、業務サーバ装置１７０へ送信する。なお、出品情報の入力では、せり対象車両となる出品車両の情報が入力される。この出品車両の情報は、予め出品者から得られている情報である。また、買取価格情報の入力では、所定の条件の下でせり主催者がせり対象車両を買い取る場合の買取価格の情報が入力される。
【００２４】
業務サーバ装置１７０は、業務用ＤＢ（データベース）１７１を含む。業務用ＤＢ１７１は、出品情報テーブル（以下「出品情報ＴＢＬ」という）、買取価格テーブル（以下「買取価格ＴＢＬ」という）を含む。業務サーバ装置１７０は、例えば、業務端末装置１６０から送信された出品情報を出品情報ＴＢＬに登録する。また、例えば、業務端末装置１６０から送信された買取価格情報を買取価格ＴＢＬに登録する。
【００２５】
ＷＥＢサーバ装置１８０は、ＷＥＢ用ＤＢ（データベース）１８１を含む。ＷＥＢ用ＤＢ１８１は、出品情報ＴＢＬ、買取価格ＴＢＬを含む。ＷＥＢサーバ装置１８０は、例えば、買取価格ＴＢＬに登録されている買取価格情報を含む情報を、出品者端末装置１９０からアクセス可能なように、公開する。また、例えば、出品者端末装置１９０からの買取希望有無通知を受け付け、その買取希望有無通知に基づいて出品情報ＴＢＬを更新する。
【００２６】
なお、業務サーバ装置１７０とＷＥＢサーバ装置１８０は、業務用ＤＢ１７１に格納されている情報とＷＥＢ用ＤＢ１８１に格納されている情報とが同じになるように、データ連携を行う。これにより、例えば、業務用ＤＢ１７１の出品情報ＴＢＬが変更されると、ＷＥＢ用ＤＢ１８１の出品情報ＴＢＬに対しても同様の変更が行われ、逆に、ＷＥＢ用ＤＢ１８１の出品情報ＴＢＬが変更されると、業務用ＤＢ１７１の出品情報ＴＢＬに対しても同様の変更が行われる。買取価格ＴＢＬについても同様である。
【００２７】
出品者端末装置１９０は、例えばＰＣであり、出品者により操作される端末装置である。出品者端末装置１９０は、例えば、出品者の操作に応じて、ＷＥＢサーバ装置１８０により公開された買取価格情報を含む情報にアクセスする。また、例えば、出品者からの買取希望有無の入力を受け付け、ＷＥＢサーバ装置１８０へ通知する。
【００２８】
図２は、せり制御装置１２０の構成例を示す図である。
図２に示したように、せり制御装置１２０は、せり制御部１２１、通信部１２２、記憶部１２３、入力部１２４、出力部１２５を含む。
【００２９】
せり制御部１２１は、せり制御装置１２０の全体動作を制御する。せり制御部１２１は、応札判定部１２１ａ、価格判定部１２１ｂ、せり終了判定部１２１ｃ、買取希望判定部１２１ｄ、落札／流札処理部１２１ｅを含む。
【００３０】
応札判定部１２１ａは、せり対象車両の応札の有無を判定する。
価格判定部１２１ｂは、応札判定部１２１ａにより応札有りと判定された時の応札価格が、せり対象車両の情報に応じて決定された買取価格を超えたか否かを判定する。なお、せり対象車両の情報に応じて決定された買取価格は、業務サーバ装置１７０から取得されるせり対象車両の出品情報に含まれる。本実施形態では、せり対象車両の情報を、せり対象車両の排気量情報とする。ただし、せり対象車両の情報は、これに限らず、例えばせり対象車両の走行距離情報等、他の情報としてもよい。
【００３１】
せり終了判定部１２１ｃは、せり対象車両のせりが終了したか否かを判定する。
買取希望判定部１２１ｄは、せり対象車両の買取希望情報（後述の買取フラグ）に応じて、そのせり対象車両の買取希望有無を判定する。なお、せり対象車両の買取希望情報は、業務サーバ装置１７０から取得されるせり対象車両の出品情報に含まれる。
【００３２】
落札／流札処理部１２１ｅは、せり対象車両の落札処理及び流札処理を行う。例えば、価格判定部１２１ｂにより応札価格が買取価格を超えたと判定されることなくせり終了判定部１２１ｃによりせりが終了したと判定され、且つ、買取希望判定部１２１ｄにより買取希望有りと判定されたときに、せり主催者を落札者としてせり対象車両を買取価格で落札する処理を行う。
【００３３】
通信部１２２は、せりネットワーク２００を介して他の装置とデータの送受を行う。例えば、せり調整人端末装置１１０からの通知、応札端末装置１３０からの応札通知を受信する。また、例えば、せり対象車両の出品情報を業務サーバ装置１７０から受信する。
【００３４】
記憶部１２３は、各種の情報を記憶する。例えば、せり対象車両の出品情報を記憶する。
入力部１２４は、例えばキーボード、ポインティングデバイス、タッチパネル等である。
出力部１２５は、例えばディスプレイ、プリンタ、スピーカ等である。
【００３５】
図３は、ＷＥＢサーバ装置１８０の構成例を示す図である。
図３に示したように、ＷＥＢサーバ装置１８０は、ＷＥＢ用ＤＢ１８１、制御部１８２、通信部１８３、入力部１８４、出力部１８５を含む。
【００３６】
ＷＥＢ用ＤＢ１８１は、上述のとおり、出品情報ＴＢＬ、買取価格ＴＢＬ等を格納する。
制御部１８２は、ＷＥＢサーバ装置１８０の全体動作を制御する。制御部１８２は、公開部１８２ａ、更新部１８２ｂを含む。
【００３７】
公開部１８２ａは、買取価格ＴＢＬに登録されている買取価格情報を含む情報を、出品者端末装置１９０からアクセス可能なように、公開する。
更新部１８２ｂは、通信部１８３により受信された買取希望有無通知に基づいて出品情報ＴＢＬを更新する。
【００３８】
通信部１８３は、業務ネットワーク３００を介して他の装置とデータの送受を行う。例えば、業務サーバ装置１７０との間でデータ連携のためのデータの送受を行う。また、通信部１８３は、外部ネットワーク４００を介して他の装置とデータの送受を行う。例えば、出品者端末装置１９０からの買取希望有無通知を受信する。なお、通信部１８３は、受付部の一例である。
【００３９】
入力部１８４は、例えばキーボード、ポインティングデバイス、タッチパネル等である。
出力部１８５は、例えばディスプレイ、プリンタ、スピーカ等である。
【００４０】
図４は、ＷＥＢ用ＤＢ１８１に格納された出品情報ＴＢＬ、買取価格ＴＢＬの一例を示す図である。なお、図４に示した出品情報ＴＢＬ、買取価格ＴＢＬは、業務サーバ装置１７０とＷＥＢサーバ装置１８０との間で行われるデータ連携により、業務用ＤＢ１７１に格納された出品情報ＴＢＬ、買取価格ＴＢＬでもある。
【００４１】
図４に示したように、出品情報ＴＢＬ１８１ａは、せり対象車両毎の出品情報を含む。出品情報は、「出品番号」、「年式」、「車名」、「グレード」、「スタート価格」、「希望価格」、「排気量区分」、「買取フラグ」の情報を含む。
【００４２】
「出品番号」は、せり対象車両毎に一意に付される番号（識別番号）である。
「年式」、「車名」、「グレード」は、せり対象車両の年式、車名、グレードである。
「スタート価格」は、せり開始時のせり対象車両の価格である。本実施形態では、「希望価格」−３，０００とする。なお、このようにしているのは、本実施形態に係るせりでは、応札が有る毎に応札価格が３０００円ずつ上昇するように運用が為されているからである。
【００４３】
「希望価格」は、出品者が希望する落札価格、或いは、せり主催者による買取価格である。本実施形態では、「買取フラグ」が「０」である場合には、出品者が希望する落札価格となり、「買取フラグ」が「１」である場合には、「排気量区分」に応じて決定された、せり主催者による買取価格となる。
【００４４】
「排気量区分」は、排気量の区分である。本実施形態では、排気量が１０００ｃｃ未満を排気量区分が「１」とし、１０００ｃｃ以上１５００ｃｃ未満を排気量区分が「２」とし、１５００ｃｃ以上２０００ｃｃ未満を排気量区分が「３」とし、２０００ｃｃ以上２５００ｃｃ未満を排気量区分が「４」とし、２５００ｃｃ以上を排気量区分が「５」とする。
【００４５】
「買取フラグ」は、所定の条件の下でせり主催者がせり対象車両を買い取るようにすることを出品者が希望しているか否かを示すフラグである。本実施形態では、それを出品者が希望している場合には、「買取フラグ」が「１」となり、それを出品者が希望していない場合には、「買取フラグ」が「０」となる。
【００４６】
また、図４に示したように、買取価格ＴＢＬ１８１ｂは、買取価格情報を含む。買取価格情報は、「排気量区分」に応じた「買取価格」を定める情報である。
「排気量区分」は、上述のとおりである。
【００４７】
「買取価格」は、所定の条件の下でせり主催者がせり対象車両を買い取る場合の買取価格である。
図４に示した出品情報ＴＢＬ１８１ａにおいて、例えば、「出品番号」が「１」のせり対象車両の出品情報では、「買取フラグ」が「０」であることから、「希望価格」は、出品者が希望する落札価格である「３５０，０００」となっている。また、「スタート価格」は、その「３５０，０００」−３０００から、「３４７，０００」となっている。
【００４８】
また、例えば、「出品番号」が「２」のせり対象車両の出品情報では、「買取フラグ」が「１」であり、「排気量区分」が「５」であることから、「希望価格」は、買取価格ＴＢＬ１８１ｂの「排気量区分」（「５」）に応じて決定された「買取価格」である「４０，０００」となっている。また、「スタート価格」は、その「４０，０００」−３０００から、「３７，０００」となっている。
【００４９】
次に、本実施形態に係るせりシステム１００の動作について説明する。
図５は、せり前に行われる、せりシステム１００の動作の一例を示すフローチャートである。この動作は、買取価格情報を出品者に公開し、せり主催者による買取を希望するか否かを出品者から受け付ける動作である。
【００５０】
なお、本動作開始前においては、業務サーバ装置１７０とＷＥＢサーバ装置１８０との間で行われるデータ連携により、ＷＥＢ用ＤＢ１８１の出品情報ＴＢＬ及び買取価格ＴＢＬには、業務端末装置１６０を介して事務局員により入力され業務用ＤＢ１７１の出品情報ＴＢＬ及び買取価格ＴＢＬに登録された出品情報及び買取価格情報が登録されているものとする。ただし、この時点では、出品情報ＴＢＬにおいて、「買取フラグ」は何れも「０」となり、「希望価格」は何れも出品者が希望する落札価格となっている。従って、「スタート価格」は何れも出品者が希望する落札価格−３０００となっている。なお、「スタート価格」は、ＷＥＢサーバ装置１８０により「希望価格」に応じて自動的に計算されて登録される。
【００５１】
図５に示したように、本動作が開始すると、まず、ＷＥＢサーバ装置１８０の制御部１８２の公開部１８２ａは、ＷＥＢ用ＤＢ１８１に格納されている買取価格ＴＢＬに登録されている買取価格情報を含む情報を、出品者端末装置１９０からアクセス可能に、公開する（Ｓ１０１）。
【００５２】
これにより、出品者は、公開された買取価格情報を含む情報を、出品者端末装置１９０を介して、閲覧することができる。そして、これを閲覧した出品者は、出品者端末装置１９０を介して、せり主催者による買い取りを希望するか否かをＷＥＢサーバ装置１８０へ通知することができる。ここで、せり主催者による買い取りとは、所定の条件の下で、せり主催者が、公開された買取価格情報に応じた買取価格で出品車両（出品者が出品した中古車）を買い取ることをいう。
【００５３】
例えば、出品者は、出品者端末装置１９０を介して、公開された情報のＵＲＬ（Uniform Resource Locator）にアクセスすると、出品者端末装置１９０の表示部に、メニュー画面を表示させることができる。出品者は、このメニュー画面に対し、出品者端末装置１９０を介して、所定の操作を行うことにより、買取価格情報画面や、買取希望画面等を表示させることができる。前者の画面では、出品者は、買取価格情報を閲覧することができる。また、後者の画面では、出品者が、出品者端末装置１９０を介して、所定の操作を行うことにより、出品者の出品車両に対し、せり主催者による買い取りを希望するか否かを、ＷＥＢサーバ装置１８０へ通知することができる。従って、出品者は、買取価格情報を閲覧した結果、出品車両の排気量に応じて定まる買取価格が高いと思えば、買い取りを希望する通知を行うことができる。なお、ＷＥＢサーバ装置１８０では、公開された情報へのアクセスを出品者に限定するため、そのＵＲＬへのアクセス時に出品者であるか否かを認証する処理が行われるようにしてもよい。
【００５４】
Ｓ１０１の後、ＷＥＢサーバ装置１８０の制御部１８２は、通信部１８３が出品者端末装置１９０からの買取希望有無通知を受信したか否かを判定する（Ｓ１０２）。
Ｓ１０２の判定結果がＮｏの場合、制御部１８２は、買取金額情報の公開が終了したか否かを判定する（Ｓ１０３）。なお、この判定では、Ｓ１０１の買取金額情報の公開を開始してから一定期間が経過していた場合に、買取金額情報の公開が終了したと判定する。ここで、一定期間とは、せり開始前に設けられる買取金額情報の公開期間であって、出品者からの買取希望の有無を受け付けるのに適した期間であり、例えば１週間である。
【００５５】
Ｓ１０３の判定結果がＹｅｓの場合、本フローの動作が終了し、その判定結果がＮｏの場合には、処理がＳ１０２へ戻る。
一方、Ｓ１０２の判定結果がＹｅｓの場合、制御部１８２は、買取希望有無通知が、買取希望有りの通知であったか否かを判定する（Ｓ１０４）。
【００５６】
Ｓ１０４の判定結果がＹｅｓの場合、制御部１８２の更新部１８２ｂは、買取希望有無通知（ここでは買取希望有りの通知）に基づいて、ＷＥＢ用ＤＢ１８１に格納されている出品情報ＴＢＬにおける、対応する出品情報の「買取フラグ」、「希望価格」、「スタート価格」を、次のように更新する（Ｓ１０５）。すなわち、買取フラグを「１」へ更新する。また、「希望価格」を、買取金額ＴＢＬに基づいて、「排気量区分」に応じた買取価格へ更新する。また、「スタート価格」を、更新後の「希望価格」−３０００へ更新する。
【００５７】
一方、Ｓ１０４の判定結果がＮｏの場合、更新部１８２ｂは、買取希望有無通知（ここでは買取希望無しの通知）に基づいて、ＷＥＢ用ＤＢ１８１に格納されている出品情報ＴＢＬにおける、対応する出品情報の「買取フラグ」、「希望価格」、「スタート価格」を初期値へ戻す（Ｓ１０６）。ここで、初期値とは、本動作開始時の値のことである。すなわち、買取フラグを「０」へ更新する。また、「希望価格」を、出品者が希望する落札価格へ更新する。また、「スタート価格」を、その更新後の「希望価格」（出品者が希望する落札価格）−３０００へ更新する。
【００５８】
なお、通信部１８３が受信した、出品者端末装置１９０からの買取希望有無通知には、出品車両の出品番号の情報が含まれており、Ｓ１０５及びＳ１０６では、その出品番号により、出品情報ＴＢＬにおける対応する出品情報が特定される。また、Ｓ１０５及びＳ１０６では、このようにしてＷＥＢ用ＤＢ１８１に格納されている出品情報ＴＢＬが更新されると、業務サーバ装置１７０とＷＥＢサーバ装置１８０との間で行われるデータ連携により、業務用ＤＢ１７１に格納されている出品情報ＴＢＬも同様に更新される。
【００５９】
Ｓ１０５又はＳ１０６の後は、処理がＳ１０２へ戻る。
このような動作により、せり前において出品者から受け付けた買取希望の有無が出品情報ＴＢＬに反映される。なお、本動作では、Ｓ１０４乃至Ｓ１０６の処理により、出品者は、買取価格情報の公開期間中に何度でも買取希望の有無を変更することができる。
【００６０】
図６Ａ、図６Ｂは、せり中に行われる、せりシステム１００の動作の一例を示すフローチャートである。この動作は、実際にせりが行われて、応札の状況に応じて落札又は流札する動作である。
【００６１】
図６Ａに示したように、本動作が開始すると、まず、せり制御装置１２０のせり制御部１２１は、通信部１２２が、せり調整人端末装置１１０からの、せり対象車両の出品番号の通知を受信したか否かを判定する（Ｓ２０１）。
【００６２】
Ｓ２０１の判定結果がＮｏの場合、せり制御部１２１は、通信部１２２が、せり調整人端末装置１１０からの、全せり終了指示の通知を受信したか否かを判定する（Ｓ２０２）。
【００６３】
Ｓ２０２の判定結果がＹｅｓの場合、本フローの動作が終了し、その判定結果がＮｏの場合には、処理がＳ２０１へ戻る。
一方、Ｓ２０１の判定結果がＹｅｓの場合、せり制御部１２１は、せり調整人端末装置１１０から通知された出品番号を、出品番号Ｎとする（Ｓ２０３）。
【００６４】
続いて、せり制御部１２１は、業務サーバ装置１７０の業務用ＤＢ１７１に格納されている出品情報ＴＢＬに登録されている出品番号Ｎの出品情報を取得し、記憶部１２３に記憶する（Ｓ２０４）。なお、出品情報の取得は、データ中継装置１５０を介して行われる。
【００６５】
続いて、せり制御部１２１は、通信部１２２が、せり調整人端末装置１１０からの、せり対象車両のせり開始指示の通知を受信したか否かを判定する（Ｓ２０５）。ここで、その判定結果がＮｏの場合、処理がＳ２０５へ戻る。すなわち、Ｓ２０５の判定結果がＹｅｓになるまで、Ｓ２０５の判定が繰り返される。
【００６６】
一方、Ｓ２０５の判定結果がＹｅｓの場合、せり制御部１２１は、内蔵するタイマーをリセットし、スタートさせる（Ｓ２０６）。なお、タイマーは、例えば、カウントダウンタイマーであり、リセットされてスタートすると、カウントダウンを開始し、予め設定されている時間（例えば５秒間）が経過した後にカウントダウンが終了となる。
【００６７】
続いて、せり制御部１２１は、Ｓ２０４で記憶部１２３に記憶された、出品番号Ｎの出品情報に含まれるスタート価格を、応札価格Ａとする（Ｓ２０７）。
続いて、せり制御部１２１の応札判定部１２１ａは、通信部１２２が、応札端末装置１３０からの応札通知を受信したか否かを判定する（Ｓ２０８）。
【００６８】
Ｓ２０８の判定結果がＹｅｓの場合、せり制御部１２１は、タイマーをリセットし、スタートさせる（Ｓ２０９）。
続いて、図６Ｂに示したように、せり制御部１２１は、応札価格Ａ＋３，０００を、応札価格Ａとする（Ｓ２１０）。
【００６９】
続いて、せり制御部１２１の価格判定部１２１ｂは、応札価格Ａが、Ｓ２０４（図６Ａ参照）で記憶部１２３に記憶された、出品番号Ｎの出品情報に含まれる希望価格以上であるか否かを判定する（Ｓ２１１）。
【００７０】
Ｓ２１１の判定結果がＹｅｓの場合、せり制御部１２１のせり終了判定部１２１ｃは、せり終了か否かを判定する（Ｓ２１２）。なお、この判定では、せり制御部１２１が、タイマーのカウントダウンが終了（タイマー終了）した場合に、せり終了と判定する。
【００７１】
Ｓ２１２の判定結果がＹｅｓの場合、せり制御部１２１の落札／流札処理部１２１ｅは、応札価格Ａを落札価格とし、その応札価格Ａとされたときの応札者を落札者として、出品番号Ｎのせり対象車両を落札する処理を行う（Ｓ２１３）。
【００７２】
一方、Ｓ２１２の判定結果がＮｏの場合、応札判定部１２１ａは、通信部１２２が、応札端末装置１３０からの応札通知を受信したか否かを判定する（Ｓ２１４）。
Ｓ２１４の判定結果がＹｅｓの場合、処理が図６ＡのＳ２０９へ戻り、その判定結果がＮｏの場合、処理がＳ２１２へ戻る。
【００７３】
一方、図６ＡのＳ２０８がＮｏの場合、又は、図６ＢのＳ２１１がＮｏの場合、せり終了判定部１２１ｃは、せり終了か否かを判定する（Ｓ２１５）。なお、この判定は、Ｓ２１２の判定と同様である。
【００７４】
Ｓ２１５の判定結果がＮｏの場合、処理が図６ＡのＳ２０８へ戻る。
一方、Ｓ２１５の判定結果がＹｅｓの場合、Ｓ２０４（図６Ａ参照）で記憶部１２３に記憶された出品番号Ｎの出品情報に含まれる買取フラグが「１」であるか否かを判定する（Ｓ２１６）。
【００７５】
Ｓ２１６の判定結果がＹｅｓの場合、落札／流札処理部１２１ｅは、Ｓ２０４（図６Ａ参照）で記憶部１２３に記憶された出品番号Ｎの出品情報に含まれる希望価格を落札価格とし、せり主催者を落札者として、出品番号Ｎのせり対象車両を落札する処理を行う（Ｓ２１７）。なお、このときの希望価格は、せり主催者による買取価格となる。
【００７６】
一方、Ｓ２１６の判定結果がＮｏの場合、落札／流札処理部１２１ｅは、出品番号Ｎのせり対象車両を流札する処理を行う（Ｓ２１８）。
Ｓ２１３、Ｓ２１７、又はＳ２１８の後は、処理が図６ＡのＳ２０１へ戻る。
【００７７】
このような動作により、価格判定部１２１ｂにより応札価格Ａが希望価格を超えたと判定されることなくせり終了判定部１２１ｃによりせりが終了したと判定され、且つ、買取希望判定部１２１ｄにより買取希望有りと判定されたときは、希望価格（買取価格）を落札価格とし、せり主催者を落札者として、せり対象車両の落札処理が行われる。
【００７８】
一方、価格判定部１２１ｂにより応札価格Ａが希望価格を超えたと判定されることなくせり終了判定部１２１ｃによりせりが終了したと判定され、且つ、買取希望判定部１２１ｄにより買取希望有りと判定されなかったときは、せり対象車両の流札処理が行われる。
【００７９】
また、価格判定部１２１ｂにより応札価格Ａが希望価格を超えたと判定され、且つ、せり終了判定部１２１ｃによりせりが終了したと判定されたときは、応札価格Ａを落札価格とし、応札価格Ａとされたときの応札者を落札者として、せり対象車両の落札処理が行われる。
【００８０】
以上、本実施形態に係るせりシステム２００によれば、せり主催者による買い取りが保証されている（せり主催者による買い取りが希望されている）せり対象車両のせり中において、事務局員は、応札が為されないタイミングを見計らって応札を行う必要がないので、そのせり中において、常に、例えば応札端末装置を介して応札が可能な状態で待機する必要がない。従って、せり主催者の負担を軽減することができ、せり主催者の人的資源が拘束されるという従来の問題を解消することができる。
【００８１】
また、せり主催者による買い取りが保証されているせり対象車両をせり主催者が買い取る場合に、従来のように、一時的に流札扱いとし、後に、それを事務局員が落札扱いに修正するといった作業も不要となるので、運用上の誤りを防止することもできる。
【００８２】
また、出品者が例えば出品店（店舗等）である場合、その出品店が予めせり主催者による買取希望を行っておけば必ず落札されるようになるので、出品店の在庫管理を容易にすることができると共に、出品店の資金繰りを支援することもできる。
【００８３】
また、出品者が予めせり主催者による買取希望を行っておけば必ず落札されるようになるので、せり主催者は、その分の落札手数料（成約手数料）を得ることができ、収益を上げることができる。
【００８４】
また、出品者が予めせり主催者による買取希望を行っておけば、その出品車両に対してノーコール流札が無くなり、せりを活発化させることができる。なお、ノーコール流札とは、応札されることなく流札されることをいう。
【００８５】
なお、本実施形態に係るせりシステム１００では、次のような変形を行ってもよい。
例えば、本実施形態に係るせりシステム１００では、出品情報ＴＢＬの出品情報が予め事務局員により業務端末装置１６０を介して登録されるものであったが、これを、出品者が出品者端末装置１９０を介して行うようにしてもよい。
【００８６】
また、例えば、本実施形態に係るせりシステム１００において、業務サーバ装置１７０とＷＥＢサーバ装置１８０を、一つのサーバ装置により実現するようにしてもよい。この場合、その一つのサーバ装置は、業務サーバ装置１７０の機能とＷＥＢサーバ装置１８０の機能を備える。また、この場合、業務用ＤＢ１７１とＷＥＢ用ＤＢ１８１を、一つのＤＢにより実現するようにしてもよい。
【００８７】
また、例えば、本実施形態に係るせりシステム１００において、せりネットワーク２００と業務ネットワーク３００を、一つのネットワークにより実現するようにしてもよい。
また、本実施形態に係るせりシステム１００において、せり調整人端末装置１１０、せり制御装置１２０、応札端末装置１３０、大型表示装置１４０、データ中継装置１５０、業務端末装置１６０、業務サーバ装置１７０、ＷＥＢサーバ装置１８０、出品者端末装置１９０は、例えば、次のようなコンピュータシステムによって実現するようにしてもよい。
【００８８】
図７は、そのコンピュータシステムの一例を示す図である。
図７に示したように、このコンピュータシステムは、ＣＰＵ５０１、ＲＯＭ５０２、ＲＡＭ５０３、通信インタフェース５０４、記憶装置５０５、入出力装置５０６、可搬型記憶媒体の読取り装置５０７、及び、これらの全てが接続されたバス５０８を含む。
【００８９】
記憶装置５０５としては、ハードディスクや磁気ディスクなど様々な形式の記憶装置を使用することができる。記憶装置５０５又はＲＯＭ５０２には、プログラム等が記憶される。そして、そのプログラムがＣＰＵ５０１によって実行されることにより、各種の動作が実現される。
【００９０】
なお、そのプログラムは、プログラム提供者端末装置５０９からネットワーク５１０、および通信インタフェース５０４を介して、例えば記憶装置５０５に格納されて、ＣＰＵ５０１によって実行されるようにしてもよい。また、市販され、流通している可搬型記憶媒体５１１に格納され、読取り装置５０７にセットされて、ＣＰＵ５０１によって実行されるようにしてもよい。可搬型記憶媒体５１１としてはＣＤ−ＲＯＭ、フレキシブルディスク、光ディスク、光磁気ディスク、ＤＶＤディスク、ＵＳＢメモリなど様々な形式の記憶媒体のいずれでもよい。
【００９１】
入出力装置５０６は、例えばキーボード、ポインティングデバイス、タッチパネル等の入力装置と、例えばディスプレイ、プリンタ、スピーカ等の出力装置を含む。
例えば、せり制御装置１２０を、図７に示したコンピュータシステム５００によって実現する場合、せり制御部１２１（応札判定部１２１ａ、金額判定部１２１ｂ、せり終了判定部１２１ｃ、買取希望判定部１２１ｄ、落札／流札処理部１２１ｅを含む）は、記憶装置５０５又はＲＯＭ５０２に記憶されているプログラムをＣＰＵ５０１が実行することより実現される。また、この場合、通信部１２２は通信インタフェース５０４により実現され、記憶部１２３は記憶装置５０５により実現され、入力部１２４及び出力部１２５は入出力装置５０６により実現される。
【００９２】
また、例えば、ＷＥＢサーバ装置１８０を、図７に示したコンピュータシステム５００によって実現する場合、制御部１８２（公開部１８２ａ、更新部１８２ｂを含む）は、記憶装置５０５又はＲＯＭ５０２に記憶されているプログラムをＣＰＵ５０１が実行することより実現される。また、この場合、通信部１８３は通信インタフェース５０４により実現され、ＷＥＢ用ＤＢ１８１は記憶装置５０５により実現され、入力部１８４及び出力部１８５は入出力装置５０６により実現される。
【００９３】
以上、実施形態を説明したが、本発明は、上述した実施形態に限定されることなく、本発明の要旨を逸脱しない範囲内で種々の改良・変更が可能である。
【符号の説明】
【００９４】
１００      せりシステム
１１０      せり調整人端末装置
１２０      せり制御装置
１２１      せり制御部
１２１ａ    応札判定部
１２１ｂ    金額判定部
１２１ｃ    せり終了判定部
１２１ｄ    買取希望判定部
１２１ｅ    落札／流札処理部
１２２      通信部
１２３      記憶部
１２４      入力部
１２５      出力部
１３０      応札端末装置
１４０      大型表示装置
１５０      データ中継装置
１６０      業務端末装置
１７０      業務サーバ装置
１７１      業務用ＤＢ
１８０      ＷＥＢサーバ装置
１８１      ＷＥＢ用ＤＢ
１８１ａ    出品情報ＴＢＬ
１８１ｂ    買取価格ＴＢＬ
１８２      制御部
１８２ａ    公開部
１８２ｂ    更新部
１８３      通信部
１８４      入力部
１８５      出力部
１９０      出品者端末装置
２００      せりネットワーク
３００      業務ネットワーク
４００      外部ネットワーク
５０１      ＣＰＵ
５０２      ＲＯＭ
５０３      ＲＡＭ
５０４      通信インタフェース
５０５      記憶装置
５０６      入出力装置
５０７      可搬型記憶媒体の読取り装置
５０８      バス
５０９      プログラム提供者端末装置
５１０      ネットワーク
５１１      可搬型記憶媒体
【図１】
0005616918.tif 000002
【図２】
0005616918.tif 000003
【図３】
0005616918.tif 000004
【図４】
0005616918.tif 000005
【図５】
0005616918.tif 000006
【図６Ａ】
0005616918.tif 000007
【図６Ｂ】
0005616918.tif 000008
【図７】
0005616918.tif 000009